(57)【要約】【課題】スティック型電気掃除機におけるフィルタの除塵を車輪の走行性を悪くすることなく、通常の操作の過程で容易に行なうことができる電気掃除機を提供する。【解決手段】電気掃除機を収納するためにパイプ６を押し下げ縮めている状態を示し、パイプ６の一側面に配置されたラック１３がパイプ６の動きに伴って下方に動き、係合状態のピニオン１４がそれに伴って回転し、軸結された円盤状掃除手段１５も時計方向に回転し、フィルター７の面を擦って除塵する。電気掃除機を使用収納するためにパイプ６を引き上げ伸ばしている状態を示し、パイプ６の一側面に配置されたラック１３がパイプ６の動きに伴って上方に動き、係合状態のピニオン１４がそれに伴って回転し、軸結された円盤状掃除手段１５も反時計方向に回転し、フィルター７の面を擦って除塵する。【選択図】      図４
2008132274.tif 000002
【特許請求の範囲】
【請求項１】
掃除機本体内に集塵部、電動送風機を有する縦型の電気掃除機において、集塵部のフィルター面に当接し、掃除機の使用時・収納時の操作に連動して動作する掃除手段を設け、該掃除手段の動作によりフィルター面を除塵することを特徴とする電気掃除機。
【請求項２】
掃除機本体内に集塵部、電動送風機を有する縦型の電気掃除機において、集塵部のフィルター面に当接して配置される回転可能な掃除手段と、掃除機の使用時・収納時に伸縮させる伸縮パイプの一側面に配置されるラックと、該ラックに係合状態になる掃除手段の中心軸に形成されたピニオンとからなり、掃除機の使用時・収納時のパイプの伸縮操作に連動する掃除手段によりフィルター面を除塵することを特徴とする電気掃除機。
【請求項３】
掃除機本体内に集塵部、電動送風機を有する縦型電気掃除機において、集塵部のフィルターの面の上下の位置に当接して配置される回転可能な２つの掃除手段と、掃除機の使用時・収納時に伸縮させる伸縮パイプの両側面に配置されるそれぞれのラックと、該それぞれのラックに係合状態になるそれぞれの掃除手段の中心軸に形成されたピニオンとからなり、掃除機の使用時・収納時のパイプの伸縮操作に連動する掃除手段によりフィルター面を除塵することを特徴とする電気掃除機。
【請求項４】
掃除機本体内に集塵部、電動送風機を有する縦型電気掃除機において、集塵部のフィルター面に当接して配置される回動可能な掃除手段と、掃除機の使用時・収納時に伸縮させる伸縮パイプのフィルター面側に一端が軸結される軸回転可能な第１のクランク片と、掃除手段の中心軸に一端が軸結される第２のクランク片とからなり、第１のクランク片の他端と第２のクランク片の他端は支点で回動可能に軸支係合状態にされ、掃除機の使用時・収納時のパイプの伸縮操作に連動する掃除手段によりフィルター面を除塵することを特徴とする電気掃除機。
【請求項５】
掃除機本体内に集塵部、電動送風機を有する縦型電気掃除機において、掃除機本体の背面に配置された一対の回動可能なコードフックと、集塵部のフィルター面に当接して配置される回動可能な掃除手段とからなり、掃除手段の中心に形成された中心軸にコードフックの嵌合軸受を係合状態で固着し、掃除機の使用時に、コードフックを回動させて緩めてコード巻き取りを解除する際に、コードフックの回動と連動する掃除手段の回動によりフィルター面を除塵することを特徴とする電気掃除機。
【発明の詳細な説明】
【技術分野】
【０００１】
本発明は縦型の電気掃除機のフィルターの除塵機構に関する。
【背景技術】
【０００２】
電気掃除機において、手軽に広い範囲を掃除することができ、かつ使用者が腰を屈めることなく楽に掃除できる縦型（スティック型）電気掃除機はよく知られている。縦型電気掃除機はパイプが伸縮する機能を有するものが多く発売されている。このような電気掃除機は収納時にハイプ６を縮めることができ、本体をコンパクト化できて便利である。
【０００３】
また、紙パックや布バッグを使用せず、着脱可能な集塵部をもつ縦型掃除機も多数発売されている。図１４に示すように、電気掃除機１は掃除機本体２、床用ブラシ部３、把手４、吸込ホース５、ハイプ６と、その先端に取り付けられている握り手６１、ゴミ収納部に設けられたフィルター７、フィルター７を掃除する掃除手段７１からなる主要部により構成されている。掃除機本体２の上部には、ブラシ部３を介してゴミを吸引するための電動送風機が配設されている。
【０００４】
これらの電気掃除機は、紙パックや布バッグの購入の必要がなく経済的であるが、使用に伴いフィルターが目詰まりして吸込力が低下するため、定期的にフィルターの除塵を行う必要がある。そのために、掃除機本体からゴミ収納部を取り出し、掃除手段７１を左右にスライドさせることにより、フィルター７の塵埃を除去して、フィルターの目詰まりを防いでいる。
【０００５】
また、縦型電気掃除機の別のタイプとして、電源コードを掃除機本体の外側に巻回して巻き取る図１５に示すものがあり、図１５（Ａ）はこの縦型電気掃除機の側面図、図１５（Ｂ）は正面図であり、掃除機本体２の側面にコードフック８１、８２が設けられていて、掃除機を収納する際には電源コード９をこのコードフックに巻き取り巻回する。図１６は掃除機の使用時の状態であり、コードフック８１、８２のうち、上方のコードフック８１は回動され解除されている。
【０００６】
このタイプの電気掃除機もフィルターの除塵を行うために、図１７に示すように、掃除機本体２から把手１１によりゴミ収納部１０を取り出して行なう。図１７（Ａ）はゴミ収納部１０の正面図、図１７（Ｂ）はゴミ収納部１０の側面図であり、ゴミ収納室２の吸気の下流に設置されたフィルター７の前面に配置された、掃除手段７１を左右にスライドさせることにより、フィルター７の塵埃を除去して、フィルターの目詰まりを防いでいる。
【０００７】
また、縦型電気掃除機において、電動送風機の駆動により空気と共に吸い込んだ塵埃を捕集する（プリーツタイプの）フィルターを掃除するために、掃除機本体の走行に従い床面と接触して回転する走行輪の回転に従動して回転し連動する掃除手段を設け、掃除機本体の走行時に掃除手段が確実に動作し、フィルターを掃除できるようにしたものは公知である（例えば、特許文献１参照）。
【特許文献１】特開２００４−３５１１４８号公報
【発明の開示】
【発明が解決しようとする課題】
【０００８】
従来の縦型電気掃除機のフィルターの掃除機構においては、走行輪に連動して除塵させているので、車輪への負荷がかかり、走行性が悪くなる欠点があった。そこで本発明は、縦型電気掃除機におけるフィルターの除塵を車輪の走行性を悪くすることなく、通常の操作の過程で容易に行なうことができる電気掃除機を提供することを目的とする。
【課題を解決するための手段】
【０００９】
上記課題を解決するために、本発明の請求項１に係る電気掃除機は、掃除機本体内に集塵部、電動送風機を有する縦型の電気掃除機において、集塵部のフィルター面に当接し、掃除機の使用時・収納時の操作に連動して動作する掃除手段を設け、該掃除手段の動作によりフィルター面を除塵する構成とした。
【００１０】
本発明の請求項２に係る電気掃除機は、掃除機本体内に集塵部、電動送風機を有する縦型の電気掃除機において、集塵部のフィルター面に当接して配置される回転可能な掃除手段と、掃除機の使用時・収納時に伸縮させる伸縮パイプの一側面に配置されるラックと、該ラックに係合状態になる掃除手段の中心軸に形成されたピニオンとからなり、掃除機の使用時・収納時のパイプの伸縮操作に連動する掃除手段によりフィルター面を除塵する構成とした。
【００１１】
こうして、縦型電気掃除機の使用時及び収納時に必ずフィルターの除塵が行えるので風量低下が少なく、吸込力が持続することができ、構成が簡単で、部品を増やさずに低コストで実施できる。
【００１２】
本発明の請求項３に係る電気掃除機は、掃除機本体内に集塵部、電動送風機を有する縦型電気掃除機において、集塵部のフィルターの面の上下の位置に当接して配置される回転可能な２つの掃除手段と、掃除機の使用時・収納時に伸縮させる伸縮パイプの両側面に配置されるそれぞれのラックと、該それぞれのラックに係合状態になるそれぞれの掃除手段の中心軸に形成されたピニオンとからなり、掃除機の使用時・収納時のパイプの伸縮操作に連動する掃除手段によりフィルター面を除塵する構成とした。
【００１３】
こうして、縦型電気掃除機の使用時及び収納時に必ずフィルターの広い面積を除塵が行えるので風量低下が少なく、吸込力が持続することができ、構成が簡単で、部品を増やさずに低コストで実施できる。
【００１４】
本発明の請求項４に係る電気掃除機は、掃除機本体内に集塵部、電動送風機を有する縦型電気掃除機において、集塵部のフィルター面に当接して配置される回動可能な掃除手段と、掃除機の使用時・収納時に伸縮させる伸縮パイプのフィルター面側に一端が軸結される軸回転可能な第１のクランク片と、掃除手段の中心軸に一端が軸結される第２のクランク片とからなり、第１のクランク片の他端と第２のクランク片の他端は支点で回動可能に軸支係合状態にされ、掃除機の使用時・収納時のパイプの伸縮操作に連動する掃除手段によりフィルター面を除塵する構成とした。
【００１５】
こうして、縦型電気掃除機の使用時及び収納時に簡単な運動変換機構により、必ずフィルターの除塵が行えるので風量低下が少なく、吸込力が持続することができ、構成が簡単で、部品を増やさずに低コストで実施できる。
【００１６】
本発明の請求項５に係る電気掃除機は、掃除機本体内に集塵部、電動送風機を有する縦型電気掃除機において、掃除機本体の背面に配置された一対の回動可能なコードフックと、集塵部のフィルター面に当接して配置される回動可能な掃除手段とからなり、掃除手段の中心に形成された中心軸にコードフックの嵌合軸受を係合状態で固着し、掃除機の使用時に、コードフックを回動させて緩めてコード巻き取りを解除する際に、コードフックの回動と連動する掃除手段の回動によりフィルター面を除塵する構成とした。
【００１７】
こうして、縦型電気掃除機の使用時及び収納時に既存のコードフック手段を利用して必ずフィルターの除塵ができるので、風量低下が少なく、吸込力が持続することができ、構成が簡単で、部品を増やさずに低コストで実施できる。
【発明の効果】
【００１８】
以上のように本発明の電気掃除機は、縦型電気掃除機の使用時及び収納時に必ずフィルターの除塵が行えるので風量低下が少なく、吸込力が持続することができ、構成が簡単で、部品を増やさずに低コストで実施できると共にフィルター清掃の手間を省くことができる。
【発明を実施するための最良の形態】
【００１９】
以下に本発明の実施態様を図面に基づき説明する。図１〜図７はパイプが伸縮する機能を有する縦型電気掃除機を対象とした本発明の実施形態である。図１は縦型電気掃除機の側面図であり、図２は背面図である。図１（Ａ）と図２（Ａ）はパイプが伸ばされた縦型電気掃除機の使用時の状態を示し、図１（Ｂ）と図２（Ｂ）はパイプが縮められた縦型電気掃除機の収納時の状態を示している。
【００２０】
各図において、電気掃除機１は掃除機本体２、床用ブラシ部３、把手４、吸込ホース５、ハイプ６と、その先端に取り付けられている握り手６１からなる主要部により構成されている。図示していないが、掃除機本体２の上部には、床用ブラシ部３を介してゴミを吸引するための電動送風機が配設されている。
【００２１】
図３は本発明の除塵機構の拡大図を示し、図３（Ａ）は側面断面図、図３（Ｂ）は背面断面図、図３（Ｃ）は上面断面図である。図において、掃除機本体２を構成するゴミ収納室１２の吸気下流にはフィルター７が配置されている。フィルター７の外方面には該フィルター７を掃除する回転可能な円盤状掃除手段１５が当接されている。一方、パイプ６の一側面にはラック１３が配置されていて、円盤状掃除手段１５の中心軸に形成されたピニオン１４と係合状態にされている。
【００２２】
このように構成された除塵機構の除塵作用について図４により説明する。図４（Ａ）はパイプ６の一側面に配置されたラック１３とそれと係合するピニオン１４、及び円盤状掃除手段１５の関係を示す拡大図である。
【００２３】
図４（Ｂ）は電気掃除機を収納するためにパイプ６を押し下げ縮めている状態を示し、パイプ６の一側面に配置されたラック１３がパイプ６の動きに伴って下方に動き、係合状態のピニオン１４がそれに伴って回転し、軸結された円盤状掃除手段１５も時計方向に回転し、フィルター７の面を擦って除塵する。フィルター７がプリーツタイプのものであれば、フィルター７の一部に円盤状掃除手段１５により振動を与えることにより、その部分のプリーツの全て（フィルター７の半分）はかなりの程度で除塵することができる。
【００２４】
図４（Ｃ）は電気掃除機を使用収納するためにパイプ６を引き上げ伸ばしている状態を示し、パイプ６の一側面に配置されたラック１３がパイプ６の動きに伴って上方に動き、係合状態のピニオン１４がそれに伴って回転し、軸結された円盤状掃除手段１５も反時計方向に回転し、フィルター７の面を擦り除塵する。これによりフィルター７の一部に円盤状掃除手段１５により振動を与えることにより、フィルター７の半分はかなりの程度で除塵することができる。
【００２５】
本実施の態様では、掃除手段の形状を円盤状としているが、パイプ６に連動してフィルター７に当接する形状であれば除塵作用を得ることができることから、特に円盤状に限定される者ではない。
【００２６】
次に、図５は他の実施形態であり、パイプ６の両側面にそれぞれラック１３ａ、１３ｂが配置されていて、各ラックは、パイプの両側に配置された円盤状掃除手段１５ａ、円盤状掃除手段１５ｂのそれぞれの中心軸に形成されたピニオン１４ａ、１４ｂと係合状態にされる。この時、円盤状掃除手段１５ａ、１５ｂは互いにフィルターの上下の位置に配置している。
【００２７】
このような構成により、例えば、電気掃除機を使用収納するためにパイプ６を引き上げ伸ばすと、パイプ６の両側面に配置されたラック１３ａ、１３ｂがパイプ６の動きに伴って上方に動き、係合状態のピニオン１４ａ、１４ｂがそれに伴って回転し、軸結された円盤状掃除手段１５ａ、１５ｂも反時計、時計方向に回転し、フィルター７の面を擦って除塵する。これによりフィルター７の両面に円盤状掃除手段１５ａ、１５ｂにより振動を与えることにより、フィルター７の略全面で除塵することができる。
【００２８】
更に、図６、図７により、本発明の他の実施態様を説明する。図６（Ａ）は除塵機構の側面断面図、図６（Ｂ）は背面断面図、図６（Ｃ）は上面断面図である。図において、掃除機本体２を構成するゴミ収納室１２の吸気下流にはフィルター７が配置されている。フィルター７の外方面には該フィルター７を掃除する回転可能な円盤状掃除手段１５が当接されている。一方、パイプ６のフィルター面側には一端が軸結された軸回転可能な第１のクランク片１６の一端が軸結されていて、円盤状掃除手段１５の中心軸に第２のクランク片１７の一端が軸結され、クランク片１６の他端とクランク片１７の他端は支点１８で回動可能に軸支してクランク係合状態にされている。
【００２９】
このように構成された除塵機構の除塵作用について図７により説明する。図７（Ａ）は電気掃除機を収納するためにパイプ６を押し下げ縮めている状態を示している。パイプ６のフィルター面側に一端が軸結された軸回転可能なクランク片１６が下方に押され、クランク片１６の他端と支点１８で回動可能に軸支してクランク係合状態にされているクランク片１７が下方に押し下げられ、クランク片１７が円盤状掃除手段１５の中心軸を回転させ、その結果、円盤状掃除手段１５も時計方向に回転し、フィルター７の面を擦って除塵する。フィルター７がプリーツタイプのものであれば、フィルター７に円盤状掃除手段１５により振動を与えることにより、その部分のプリーツの全て（フィルター７の略全面）はかなりの程度で除塵することができる。
【００３０】
図７（Ｂ）は電気掃除機を使用収納するためにパイプ６を引き上げ伸ばしている状態を示している。パイプ６のフィルター面側に一端が軸結された軸回転可能なクランク片１６が上方に引き上げられ、クランク片１６の他端と支点１８で回動可能に軸支してクランク係合状態にされているクランク片１７が上方に引き上げられ、クランク片１７が円盤状掃除手段１５の中心軸を回転させ、その結果、円盤状掃除手段１５も反時計方向に回転し、フィルター７の面を擦って除塵する。フィルター７に円盤状掃除手段１５により振動を与えることにより、その部分のプリーツの全て（フィルター７の略全面）はかなりの程度で除塵することができる。
【００３１】
次に、縦型電気掃除機の別の電源コードを掃除機本体の外側に巻回して巻き取るタイプの除塵機構について図８〜図１３により説明する。図１〜図７のものと同一物には同じ符号を付している。
【００３２】
図８は掃除機の使用時の状態である。図８（Ａ）はこの縦型電気掃除機の正面図、図８（Ｂ）は側面図であり、電気掃除機１は掃除機本体２、床用ブラシ部３、把手４、吸込ホース５、ハイプ６と、その先端に取り付けられている握り手６１、ゴミ収納部に設けられたフィルター７からなる主要部により構成されている。掃除機本体２の上部には、床用ブラシ部３を介してゴミを吸引するための電動送風機が配設されている。掃除機本体２の背面にコードフック８１、８２が設けられていて、掃除機を収納する際には電源コード９をこのコードフックに巻回する。
【００３３】
図９はこの縦型電気掃除機の背面図であり、図９（Ａ）は掃除機を収納する際に電源コード９をコードフック８１、８２に巻付けた状態図、図９（Ｂ）は掃除機の使用時にコードフック８１、８２を回動させて、電源コード９の巻付を緩めて解除した状態図である。図１０はこの縦型電気掃除機の背面断面図であり、掃除機本体の２ゴミ収納室に配置されているフィルター７の位置関係が示されている。
【００３４】
図１１はこの実施形態の除塵機構の拡大図を示し、図１１（Ａ）は背面断面図、図１１（Ｂ）は側面断面図、図１１（Ｃ）は上面断面図である。図において、掃除機本体２を構成するゴミ収納室１２の吸気下流にはフィルター７が配置されている。フィルター７の外方面には該フィルター７を掃除する回転可能な棒状掃除手段１９が当接されている。一方、棒状掃除手段１９の中心に形成された中心軸２０にはコードフック８１の嵌合軸承２１が挿入されて係合状態で固着される。
【００３５】
図１２は棒状掃除手段１９の中心に形成された中心軸２０と、コードフック８１の嵌合軸承２１が挿入されて係合状態で固着する構造と除塵機構の拡大図を示している。図１２（Ａ）は除塵機構の拡大された側面断面図、図１１（Ｂ）はコードフック８１の拡大図、図１１（Ｃ）は棒状掃除手段１９の中心に形成された中心軸２０の上面図である。
【００３６】
コードフック８１の嵌合軸受２１は、回動可能な棒状掃除手段１９の中心に形成された中心軸２０と互いの凹凸２２、２３を合致させて挿入されて係合状態で固着される。これより、コードフック８１が回動すると、軸結された棒状掃除手段１９も回動してフィルター面を擦って除塵することになる。
【００３７】
かかる構成の除塵機構の除塵動作を図１３に示す。図１３（Ａ）は電気掃除機を使用しない時、電源コードをコードフック８１に強く巻回しているときの状態を示し、図１３（Ｂ）は電気掃除機を使用するために、コードフック８１を回動させて緩めて解除し、電源コードを伸ばした状態である。このように、コードフック８１を回動させて緩めて解除する際に、コードフック８１の回動と連動する棒状掃除手段１９の回動によりフィルター面を擦って除塵することができる。この例では棒状掃除手段１９はコードフック８１にのみ連結設置したが、必要に応じてコードフック８２にも設けることができる。
【００３８】
この実施形態では、掃除手段の形状を棒状としているが、コードフック８１に連動してフィルター７に当接する形状であれば、除塵作用を得ることができるから、特に棒状に限定されるものではない。
【図面の簡単な説明】
【００３９】
【図１】本発明のパイプ伸縮の縦型電気掃除機の側面図。
【図２】本発明のパイプ伸縮の縦型電気掃除機の背面図。
【図３】本発明の除塵機構の拡大図。
【図４】本発明の除塵機構の除塵作用説明図。
【図５】本発明の除塵機構の他の実施形態図。
【図６】本発明の除塵機構の除塵作用説明図。
【図７】本発明の除塵機構の他の実施形態図。
【図８】本発明のコイルフック有する縦型電気掃除機の正面図、側面図。
【図９】本発明のコイルフック有する縦型電気掃除機の背面図。
【図１０】本発明のコイルフック有する縦型電気掃除機の背面断面図。
【図１１】本発明の除塵機構の他の実施形態図。
【図１２】本発明の除塵機構の詳細図。
【図１３】本発明の除塵機構の除塵動作説明図。
【図１４】従来の縦型電気掃除機の正面図、側面図。
【図１５】従来の他の縦型電気掃除機の正面図、側面図。
【図１６】従来の他の縦型電気掃除機の使用時の側面図。
【図１７】ゴミ収納部の正面断面図、側面断面図。
【符号の説明】
【００４０】
１            縦型電気掃除機
２            掃除機本体
３            床用ブラシ
４            把手
５            吸込みホース
６            進出パイプ
７            フィルター
７１          掃除手段
８            コードフック
９            電源コード
１０          ゴミ収納部
１１          把手
１２          ゴミ収納室
１３          ラック
１４          ピニオン
１５          円盤状掃除手段
１６          第１のクランク片
１７          第２のクランク片
１８          支点
１９          棒状掃除手段
２０          棒状掃除手段の中心軸
２１          嵌合軸受
【図１】
2008132274.tif 000003
【図２】
2008132274.tif 000004
【図３】
2008132274.tif 000005
【図４】
2008132274.tif 000006
【図５】
2008132274.tif 000007
【図６】
2008132274.tif 000008
【図７】
2008132274.tif 000009
【図８】
2008132274.tif 000010
【図９】
2008132274.tif 000011
【図１０】
2008132274.tif 000012
【図１１】
2008132274.tif 000013
【図１２】
2008132274.tif 000014
【図１３】
2008132274.tif 000015
【図１４】
2008132274.tif 000016
【図１５】
2008132274.tif 000017
【図１６】
2008132274.tif 000018
【図１７】
2008132274.tif 000019